(57)【要約】【課題】入院、海外旅行、海外出張等の理由により、ユーザ(有権者)が不在者投票用紙を受け取ることができない場合であっても、場所や時間を問わず、不在者投票を行うことができるようにする。【解決手段】管理サーバ１２０により、郵便ポスト４００からの読み取った情報と、ユーザ(有権者)毎に受け付けている少なくとも個人情報との一致によるユーザ認証が行われた後、アクセス情報に基づいてユーザ端末３００Ａ，３００Ｂに郵便ポスト４００からの読み取った情報が送信されると、ユーザ端末３００Ａ，３００Ｂにより管理サーバ１２０から受け取った情報に投票の意思を示す情報が付加されて管理サーバ１２０に返信され、その後、職員端末２００により投票の意思を示す情報が管理サーバ１２０から取得されるようにした。【選択図】図１
2008250810.tif 000002
【特許請求の範囲】
【請求項１】
通信回線を用いた不在者投票システムであって、
有権者毎の少なくともアクセス情報を有する個人情報及びパスワードを受け付ける管理サーバと、
前記有権者毎の少なくとも個人情報を取得して記憶素子を有する郵送媒体への宛先の印字と前記記憶素子への少なくとも前記個人情報の書き込みとを行う職員端末と、
前記郵送媒体が投函される際、前記記憶素子に書き込まれている情報を読み取り、該読み取った情報を前記通信回線を介して前記管理サーバへ送信する郵便ポストと、
少なくとも有権者毎の前記個人情報及びパスワードを送信するユーザ端末とを備え、
前記管理サーバは、前記郵便ポストからの読み取った情報と、有権者毎に受け付けている少なくとも個人情報との一致によるユーザ認証を行い、前記アクセス情報に基づいて前記ユーザ端末に郵便ポストからの読み取った情報を送信し、
前記ユーザ端末は、前記管理サーバから受け取った情報に投票の意思を示す情報を付加して前記管理サーバに返信し、
前記職員端末は、前記投票の意思を示す情報を前記管理サーバから取得する
ことを特徴とする不在者投票システム。
【請求項２】
前記職員端末により前記記憶素子への書き込みが行われるときと、前記管理サーバから前記アクセス情報に基づいて前記ユーザ端末に郵便ポストからの読み取った情報が送信されるときと、前記ユーザ端末により前記管理サーバから受け取った情報に投票の意思を示す情報を付加するとき、いずれも前記有権者毎に登録されているパスワードが用いられることを特徴とする請求項１に記載の不在者投票システム。
【請求項３】
通信回線を用いた不在者投票方法であって、
管理サーバにより有権者毎の少なくともアクセス情報を有する個人情報及びパスワードを受け付ける工程と、
職員端末により前記有権者毎の少なくとも個人情報を取得して記憶素子を有する郵送媒体への宛先の印字と前記記憶素子への少なくとも前記個人情報の書き込みとを行う工程と、
郵便ポストにより前記郵送媒体が投函される際、前記記憶素子に書き込まれている情報を読み取り、該読み取った情報を前記通信回線を介して前記管理サーバへ送信する工程と、
ユーザ端末により少なくとも有権者毎の前記個人情報及びパスワードを送信する工程とを有し、
前記管理サーバは、前記郵便ポストからの読み取った情報と、有権者毎に受け付けている少なくとも個人情報との一致によるユーザ認証を行い、前記アクセス情報に基づいて前記ユーザ端末に郵便ポストからの読み取った情報を送信し、
前記ユーザ端末は、前記管理サーバから受け取った情報に投票の意思を示す情報を付加して前記管理サーバに返信し、
前記職員端末は、前記投票の意思を示す情報を前記管理サーバから取得する
ことを特徴とする不在者投票方法。
【発明の詳細な説明】
【技術分野】
【０００１】
本発明は、選挙等の不在者投票に適した不在者投票システム及び不在者投票方法に関する。
【背景技術】
【０００２】
公職選挙法の定める不在や病気等の正当な理由により、選挙の当日所定の投票所に行って投票できない選挙人のための不在者投票と呼ばれる制度がある。ところで、このような不在者投票に関する業務処理の煩雑化に伴い、その効率化のための手法の実現が望まれている。
【０００３】
すなわち、現在、不在者投票の受付窓口においては、不在者投票の請求を受けて名簿抄本を索引し本人の投票する権利を確認した後、選挙種類数の投票用紙を交付するという作業が行われる。
【０００４】
投票用紙を入れる封筒にはシリアル番号などが付けられ、交付数が管理できるようになっている。また本人の請求により郵便・郵便代理の形式で不在者投票を行うことができる。加えて船員には専用の投票用紙による投票（外票）が認められており、それぞれ交付・受理の状況が各担当者により台帳等にて管理されている。
【０００５】
このようにして交付された票は職員の管理の元、投票箱に投函される。１日の投票が終了した段階で投票箱より本日分の票を取出し、表書きを見ながら投票区毎に仕分けをした後、宣誓書の枚数と票数を合わせる。票数が合わない場合には全職員の記憶を頼りに未受理の票を特定し、その時の状況を確認した後、本人に連絡をとり票の行方を確認する。
【０００６】
一方、投開票が完了し選挙の結果報告が成された後、各台帳に管理された不在者投票の投票記録を集計し選挙調べとして綴り保管する。これらほとんどの作業がＯＡ化されず人手にて管理されているのが現状である。
【０００７】
このような不具合を解消するようにしたものとして、特許文献１では、不在者投票用紙を交付する際、有権者情報データベース上の該当する有権者情報登録位置を索引するためのコンピュータ読取可能な有権者番号情報を含む交付支援媒体を発行し、それを不在者投票用封筒上に印字又は添付して使用することにより、投函された各不在者投票用封筒上に印字又は添付されている交付支援媒体を読み取るだけで、不在者投票用紙の受理に関する情報を有権者情報データベース上の該当する有権者情報登録位置に自動登録することを可能とし、その後は、有権者情報データベースの登録内容に基づいて不在者投票者を識別可能な有権者名簿抄本を作成し、それを各投票所に配布するだけで済むようにした不在者投票支援システムを提案している。
【特許文献１】特開２００２−６３３１７号公報
【発明の開示】
【発明が解決しようとする課題】
【０００８】
上述したように、特許文献１での不在者投票支援システムでは、不在者投票用紙に有権者番号情報を含む交付支援媒体を印字又は添付し、投函された不在者投票用封筒上の交付支援媒体を読み取るだけで有権者情報登録位置への自動登録が行われ、その後は、有権者情報データベースの登録内容に基づいて不在者投票者を識別可能な有権者名簿抄本を作成し、それを各投票所に配布するだけで済むため、不在者投票受付業務において受付から票の交付・受理までの工程を短時間で正確に運営することができる。
【０００９】
ところが、このような不在者投票支援システムでは、入院、海外旅行、海外出張等の理由により、有権者が不在者投票用紙を受け取ることができない場合、不在者投票を行いたくても行うことができないという問題があった。
【００１０】
本発明は、このような状況に鑑みてなされたものであり、上記問題点を解決することができる不在者投票システム及び不在者投票方法を提供することを目的とする。
【課題を解決するための手段】
【００１１】
本発明の不在者投票システムは、通信回線を用いた不在者投票システムであって、有権者毎の少なくともアクセス情報を有する個人情報及びパスワードを受け付ける管理サーバと、前記有権者毎の少なくとも個人情報を取得して記憶素子を有する郵送媒体への宛先の印字と前記記憶素子への少なくとも前記個人情報の書き込みとを行う職員端末と、前記郵送媒体が投函される際、前記記憶素子に書き込まれている情報を読み取り、該読み取った情報を前記通信回線を介して前記管理サーバへ送信する郵便ポストと、少なくとも有権者毎の前記個人情報及びパスワードを送信するユーザ端末とを備え、前記管理サーバは、前記郵便ポストからの読み取った情報と、有権者毎に受け付けている少なくとも個人情報との一致によるユーザ認証を行い、前記アクセス情報に基づいて前記ユーザ端末に郵便ポストからの読み取った情報を送信し、前記ユーザ端末は、前記管理サーバから受け取った情報に投票の意思を示す情報を付加して前記管理サーバに返信し、前記職員端末は、前記投票の意思を示す情報を前記管理サーバから取得することを特徴とする。
また、前記職員端末により前記記憶素子への書き込みが行われるときと、前記管理サーバから前記アクセス情報に基づいて前記ユーザ端末に郵便ポストからの読み取った情報が送信されるときと、前記ユーザ端末により前記管理サーバから受け取った情報に投票の意思を示す情報を付加するとき、いずれも前記有権者毎に登録されているパスワードが用いられるようにすることができる。
本発明の不在者投票方法は、通信回線を用いた不在者投票方法であって、管理サーバにより有権者毎の少なくともアクセス情報を有する個人情報及びパスワードを受け付ける工程と、職員端末により前記有権者毎の少なくとも個人情報を取得して記憶素子を有する郵送媒体への宛先の印字と前記記憶素子への少なくとも前記個人情報の書き込みとを行う工程と、郵便ポストにより前記郵送媒体が投函される際、前記記憶素子に書き込まれている情報を読み取り、該読み取った情報を前記通信回線を介して前記管理サーバへ送信する工程と、ユーザ端末により少なくとも有権者毎の前記個人情報及びパスワードを送信する工程とを有し、前記管理サーバは、前記郵便ポストからの読み取った情報と、有権者毎に受け付けている少なくとも個人情報との一致によるユーザ認証を行い、前記アクセス情報に基づいて前記ユーザ端末に郵便ポストからの読み取った情報を送信し、前記ユーザ端末は、前記管理サーバから受け取った情報に投票の意思を示す情報を付加して前記管理サーバに返信し、前記職員端末は、前記投票の意思を示す情報を前記管理サーバから取得することを特徴とする。
本発明の不在者投票システム及び不在者投票方法では、管理サーバにより有権者毎の少なくともアクセス情報を有する個人情報及びパスワードを受け付け、職員端末により有権者毎の少なくとも個人情報を取得して記憶素子を有する郵送媒体への宛先の印字と記憶素子への少なくとも個人情報の書き込みとを行い、郵便ポストにより郵送媒体が投函される際、記憶素子に書き込まれている情報を読み取り、該読み取った情報を通信回線を介して管理サーバへ送信することで、管理サーバにより、郵便ポストからの読み取った情報と、有権者毎に受け付けている少なくとも個人情報との一致によるユーザ認証が行われた後、アクセス情報に基づいてユーザ端末に郵便ポストからの読み取った情報が送信されると、ユーザ端末により管理サーバから受け取った情報に投票の意思を示す情報が付加されて管理サーバに返信され、その後、職員端末により投票の意思を示す情報が管理サーバから取得される。
【発明の効果】
【００１２】
本発明の不在者投票システム及び不在者投票方法によれば、管理サーバにより、郵便ポストからの読み取った情報と、有権者毎に受け付けている少なくとも個人情報との一致によるユーザ認証が行われた後、アクセス情報に基づいてユーザ端末に郵便ポストからの読み取った情報が送信されると、ユーザ端末により管理サーバから受け取った情報に投票の意思を示す情報が付加されて管理サーバに返信され、その後、職員端末により投票の意思を示す情報が管理サーバから取得されるようにしたので、入院、海外旅行、海外出張等の理由により、有権者が不在者投票用紙を受け取ることができない場合であっても、場所や時間を問わず、不在者投票を行うことができる。また、職員端末側では、有権者毎の少なくともアクセス情報と、有権者毎の投票の意思を示す情報と管理サーバから取得できるため、不在者投票の交付から投票結果までの作業を短時間でかつ正確に行うことができる。
【発明を実施するための最良の形態】
【００１３】
本実施形態では、管理サーバにより有権者毎の少なくともアクセス情報を有する個人情報及びパスワードを受け付け、職員端末により有権者毎の少なくとも個人情報を取得して記憶素子を有する郵送媒体への宛先の印字と記憶素子への少なくとも個人情報の書き込みとを行い、郵便ポストにより郵送媒体が投函される際、記憶素子に書き込まれている情報を読み取り、該読み取った情報を通信回線を介して管理サーバへ送信することで、管理サーバにより、郵便ポストからの読み取った情報と、有権者毎に受け付けている少なくとも個人情報との一致によるユーザ認証が行われた後、アクセス情報に基づいてユーザ端末に郵便ポストからの読み取った情報が送信されると、ユーザ端末により管理サーバから受け取った情報に投票の意思を示す情報が付加されて管理サーバに返信され、その後、職員端末により投票の意思を示す情報が管理サーバから取得されるようにした。
【００１４】
このように、管理サーバにより、郵便ポストからの読み取った情報と、有権者毎に受け付けている少なくとも個人情報との一致によるユーザ認証を行い、アクセス情報に基づいてユーザ端末に郵便ポストからの読み取った情報が送信され、ユーザ端末により管理サーバから受け取った情報に投票の意思を示す情報が付加されて管理サーバに返信され、その後、職員端末により投票の意思を示す情報が管理サーバから取得されるようにすることで、入院、海外旅行、海外出張等の理由により、有権者が不在者投票用紙を受け取ることができない場合であっても、場所や時間を問わず、不在者投票を行うことができる。また、職員端末側では、有権者毎の少なくともアクセス情報と、有権者毎の投票の意思を示す情報とを管理サーバから取得できるため、不在者投票の交付から投票結果までの作業を短時間でかつ正確に行うことができる。
【実施例】
【００１５】
以下、本発明の実施例について説明する。図１は、本発明の不在者投票システムの一実施例を示す図である。
【００１６】
同図に示す不在者投票システムは、不在者投票管理装置１００と、職員端末２００、ユーザ端末３００Ａ，３００Ｂと、郵便ポスト４００とを備え、これらは通信回線であるインターネット５００を介して接続されている。
【００１７】
不在者投票管理装置１００は、たとえば郵便局又はその他の所定の機関によって運営されるものであり、管理端末１１０と、管理サーバ１２０と、データベース１３０とを備えている。
【００１８】
管理端末１１０は、たとえば管理サーバ１２０のシステム変更や職員端末２００やユーザ端末３００Ａ，３００Ｂからの問い合わせに対する回答等を行う場合に操作されるものである。なお、職員端末２００やユーザ端末３００Ａ，３００Ｂからの問い合わせとしては、不在者投票に関する様々な質問となることが予測される。この場合、たとえば電子メールによる質問があるとき、質問のあったユーザのメールアドレスを用いて質問の回答が送信される。管理端末１１０としては、ディスクトップパソコン、ノートパソコン等を用いることができる。
【００１９】
管理サーバ１２０は、ユーザ端末３００Ａ，３００Ｂからの後述の個人情報３００ａ及びパスワード３００ｂの登録を受け付けるとともに、ユーザ端末３００Ａ，３００Ｂからの不在者投票を受け付け、これらの受け付けた情報をデータベース１３０に登録する。
【００２０】
すなわち、ユーザ端末３００Ａ，３００Ｂから受け付ける情報としては、後述の図３に示すように、少なくとも住所、氏名、メールアドレス（１）、メールアドレス（２）等の個人情報３００ａや、パスワード３００ｂ等である。
【００２１】
また、管理サーバ１２０は、職員端末２００からの個人情報の要求を受け付けてデータベース１３０に登録した後述の各ユーザ（有権者）の個人情報３００ａ及びパスワード３００ｂを送信する。なお、職員端末２００からの個人情報の要求を受け付ける際は、セキュリティのために所定のアクセスコードが用いられるようになっている。
【００２２】
また、管理サーバ１２０は、職員端末２００からの不在者投票の情報の要求を受け付けると、データベース１３０に登録した不在者投票の結果を送信する。
【００２３】
データベース１３０には、管理サーバ１２０によって登録された後述の個人情報３００ａやパスワード３００ｂ、並びに不在者投票の結果が記憶される。
【００２４】
職員端末２００は、管理サーバ１２０へ所定のアクセスコードを用いてアクセスし、有権者の後述の個人情報３００ａやパスワード３００ｂ、並びに不在者投票の結果を取得する。職員端末２００は、少なくともインターネット５００を介して管理サーバ１２０と通信できる機能があればよく、ディスクトップパソコン、ノートパソコン等を用いることができる。
【００２５】
一方、プリンタ２１０にあっては、少なくともライタ機能が搭載されていればよく、スタンドアロンタイプでもよい。ここで、プリンタ２１０によって印刷等が行われる場合、たとえば図２に示すような郵送媒体としての郵便はがき６００が用いられる。この郵便はがき６００には、記憶素子としてのＩＣタグ６０１が貼着又は埋設されている。
【００２６】
そして、たとえば職員端末２００にプリンタ２１０が接続されている場合、職員端末２００からプリンタ２１０に印字情報と書込情報とが送られると、プリンタ２１０により郵便はがき６００への印字やＩＣタグ６０１への書き込み等が行われる。
【００２７】
ここで、印字情報としては、後述の個人情報３００ａのうち、住所及び氏名である。一方、書込情報としては、後述の個人情報３００ａに加え、選挙のお知らせ、選挙の投票日、候補者の氏名、投票欄等も含まれる。なお、ＩＣタグ６０１に書き込まれる書込情報は、ユーザ（有権者）毎に登録されているパスワード３００ｂを用いて鍵がかけられるようにしてもよい。このように、ＩＣタグ６０１に書き込まれる書込情報にユーザ（有権者）毎に登録されているパスワード３００ｂが用いられることで、セキュリティが高められる。
【００２８】
ユーザ端末３００Ａ，３００Ｂは、ユーザ（有権者）が不在者投票を行うときに使用する場合を想定したものである。これらのユーザ端末３００Ａ，３００Ｂは、少なくともインターネット５００を介して管理サーバ１２０や郵便ポスト４００と通信できる機能があればよく、ディスクトップパソコン、ノートパソコン、携帯電話、ＰＤＡ等を用いることができる。
【００２９】
ここで、ユーザ端末３００Ａ，３００Ｂによる操作としては、情報登録と不在者投票の送信である。情報登録に際しては、管理サーバ１２０にアクセスして、図３に示すような少なくとも住所、氏名、メールアドレス（１）、メールアドレス（２）等の個人情報３００ａと、任意の数字や文字等の組み合わせによるパスワード３００ｂとを登録する。
【００３０】
また、不在者投票を行う場合は、管理サーバ１２０からの、少なくとも個人情報３００ａ、パスワード３００ｂ、選挙のお知らせ、選挙の投票日、候補者の氏名、投票欄等の情報のうち、その投票欄に所定のチェック（○又は×等）を入れた後、これらの情報をそのまま管理サーバ１２０へ転送する。この場合、管理サーバ１２０から情報には、個人情報３００ａやパスワード３００ｂが含まれているため、これらの情報にはパスワードがかけられるようにすることがセキュリティの面で好ましい。
【００３１】
なお、パスワードをかける場合は、ユーザ（有権者）毎に予め登録されているパスワード３００ｂを用いればよい。これにより、各ユーザ（有権者）は、管理サーバ１２０から受け取った情報を自ら登録しておいたパスワード３００ｂで開くことができる。
【００３２】
また、各ユーザ（有権者）から管理サーバ１２０へ転送する情報にもパスワードがかけられるようにすることがセキュリティの面で好ましい。この場合も、各ユーザ（有権者）が自ら登録しておいたパスワード３００ｂを用いればよい。
【００３３】
これにより、管理サーバ１２０側では、ユーザ端末３００Ａ，３００Ｂからの送信された情報の少なくとも個人情報３００ａやパスワード３００ｂからユーザ（有権者）を特定し、不在者投票の結果をユーザ（有権者）毎にデータベース１３０に登録することができる。
【００３４】
郵便ポスト４００は、郵便はがき６００等の郵便物が投函されるものであり、図４に示すようなＩＣタグ読取制御部４００ａを有している。このＩＣタグ読取制御部４００ａは、少なくと郵便はがき６００のＩＣタグ６０１の書込情報を読み取る読取部４０１と、この読取部４０１によって読み取られた書込情報を管理サーバ１２０へ送信する送信部４０４と、これら各部の動作を制御する制御部４０２とを有している。
【００３５】
図５は、管理サーバ１２０の詳細を説明するための図である。同図に示すように、管理サーバ１２０は、インタフェース部１２１、受付部１２２、送信部１２３、データ書込部１２４、データ読込部１２５、制御部１２６を備えている。
【００３６】
インタフェース部１２１は、インターネット５００を介して職員端末２００、ユーザ端末３００Ａ，３００Ｂ及び郵便ポスト４００との間でのデータのやり取りを受け持つ。
【００３７】
受付部１２２は、ユーザ端末３００Ａ，３００Ｂからのアクセスを受け付け、図３に示した個人情報３００ａやパスワード３００ｂ等を登録するための図示しない登録用Ｗｅｂページを提供する。この登録用Ｗｅｂページで上述した少なくとも、住所、氏名、メールアドレス（１）及びメールアドレス（２）等の個人情報３００ａと、パスワード３００ｂとが入力されると、その個人情報３００ａとパスワード３００ｂとがデータベース１３０に登録される。
【００３８】
また、受付部１２２は、ユーザ端末３００Ａ，３００Ｂからの不在者投票を受け付ける。この場合、ユーザ端末３００Ａ，３００Ｂからの送信された情報の少なくとも個人情報３００ａとパスワード３００ｂとからユーザ（有権者）が特定され、不在者投票の内容をユーザ（有権者）毎にデータベース１３０に登録することができる。
【００３９】
また、受付部１２２は、職員端末２００からのたとえば所定のアクセスコードを用いたアクセスを受け付ける。このアクセスは、データベース１３０に登録されている個人情報３００ａやパスワード３００ｂの要求と、不在者投票の結果の要求とである。
【００４０】
また、受付部１２２は、郵便ポスト４００からの郵便はがき６００のＩＣタグ６０１からの読み取った書込情報を受け付ける。この受け付けた書込情報は、データベース１３０に登録されている個人情報３００ａやパスワード３００ｂと一致しているかどうかでユーザ認証が行われる。
【００４１】
送信部１２３は、受付部１２２によって受け付けた郵便ポスト４００からの書込情報のユーザ認証が行われた後、既に登録されているメールアドレス（１）及び／又はメールアドレス（２）を宛先として、郵便ポスト４００からの書込情報をユーザ端末３００Ａ，３００Ｂに送信する。
【００４２】
また、送信部１２３は、職員端末２００からの要求に応じて、個人情報３００ａ及びパスワード３００ｂや、不在者投票の結果を送信する。
【００４３】
データ書込部１２４は、登録用Ｗｅｂページで入力されたユーザ（有権者）からの上述した個人情報３００ａやパスワード３００ｂ、並びに不在者投票の結果をデータベース１３０に書き込む。
【００４４】
データ読込部１２５は、職員端末２００からの要求に応じて上述した個人情報３００ａ及びパスワード３００ｂや、不在者投票の結果を読み込む。
【００４５】
制御部１２６は、管理端末１１０の操作に応じ、所定の制御プログラムに従って各部の動作を制御する。本実施例における制御部１２６の主な制御としては、ユーザ（有権者）毎の個人情報３００ａやパスワード３００ｂ、並びに不在者投票の結果を受け付けて、データベース１３０に登録させることである。また、職員端末２００からのアクセスに応じてデータベース１３０に登録されているユーザ（有権者）毎の個人情報３００ａやパスワード３００ｂ、並びに不在者投票の結果を送信させることである。
【００４６】
また、制御部１２６の主な制御としては、郵便ポスト４００から受け取った書込情報とデータベース１３０に登録されている個人情報３００ａやパスワード３００ｂとの一致又は不一致からユーザ認証を行うことである。
【００４７】
次に、不在者投票システムによる不在者投票方法について説明する。まず、図６に示すように、ユーザ（有権者）はユーザ端末３００Ａ，３００Ｂを用いて管理サーバ１２０にアクセスし、上述の登録用Ｗｅｂページに住所、氏名、メールアドレス（１）、メールアドレス（２）等の個人情報３００ａと、パスワード３００ｂとを登録しておく（ステップＳ１）。
【００４８】
このとき、管理サーバ１２０の制御部１２６により、その登録用Ｗｅｂページに入力された住所、氏名、メールアドレス（１）、メールアドレス（２）等の個人情報３００ａや、パスワード３００ｂがデータベース１３０に書き込まれる。
【００４９】
次に、職員端末２００から管理サーバ１２０へ所定のアクセスコードを用いてユーザ（有権者）毎の個人情報３００ａやパスワード３００ｂの要求があると、データベース１３０に書き込まれている住所、氏名、メールアドレス（１）、メールアドレス（２）等の個人情報３００ａや、パスワード３００ｂが職員端末２００に送信される（ステップＳ２）。
【００５０】
そして、職員端末２００側では、管理サーバ１２０から取得した個人情報３００ａやパスワード３００ｂを用い、プリンタ２１０によって郵便はがき６００への印字や書き込みを行う。ここでは、職員端末２００からプリンタ２１０に印字情報と書込情報とが送られると、プリンタ２１０により郵便はがき６００への印字やＩＣタグ６０１への書き込み等が行われる（ステップＳ３）。
【００５１】
すなわち、郵便はがき６００には、個人情報３００ａの住所及び氏名が印字される。また、ＩＣタグ６０１には、住所、氏名、メールアドレス（１）、メールアドレス（２）等の個人情報３００ａに加え、選挙のお知らせ、選挙の投票日、候補者の氏名、投票欄等が書き込まれる。ここで、セキュリティを高めるためには、ＩＣタグ６０１に書き込むべき書込情報にパスワードをかけることが好ましい。この場合、管理サーバ１２０から取得しているユーザ（有権者）毎のパスワード３００ｂを用いればよい。
【００５２】
このようにして、全てのユーザ（有権者）宛の郵便はがき６００への印字や書き込みを終えた後、それぞれの郵便はがき６００を郵便ポスト４００に投函する（ステップＳ４）。
【００５３】
この場合、郵便ポスト４００の読取部４０１に郵便はがき６００のＩＣタグ６０１をかざすようにして郵便ポスト４００に投函すると、読取部４０１により郵便はがき６００のＩＣタグ６０１の書込情報が読み取られる（ステップＳ５）。ここで、そのＩＣタグ６０１の書込情報が読み取られると、その読み取った書込情報が管理サーバ１２０へ転送される（ステップＳ６）。
【００５４】
一方、管理サーバ１２０側では、郵便ポスト４００から受け取った書込情報とデータベース１３０に登録されている個人情報３００ａやパスワード３００ｂとの一致又は不一致からユーザ認証を行う（ステップＳ７）。
【００５５】
ここで、ユーザ認証が行われて不一致である場合、職員端末２００に不一致であることを示す通知が行われる。
【００５６】
これに対し、ユーザ認証が行われて一致したと判断されると、既に登録されているメールアドレス（１）及び／又はメールアドレス（２）を宛先として、郵便ポスト４００からの書込情報がそのままユーザ端末３００Ａ，３００Ｂに送信される（ステップＳ８）。
【００５７】
この場合、管理サーバ１２０からユーザ端末３００Ａ，３００Ｂへ送信される情報は、上述したように、ユーザ（有権者）毎のパスワード３００ｂがかけられている。
【００５８】
そして、ユーザ（有権者）は、不在者投票を行う場合、ユーザ端末３００Ａ，３００Ｂによって管理サーバ１２０から受け取った情報を既に登録しているパスワード３００ｂを用いて開き、その情報に含まれている、少なくとも個人情報３００ａ、パスワード３００ｂ、選挙のお知らせ、選挙の投票日、候補者の氏名、投票欄等の情報のうち、その投票欄に所定のチェック（○又は×等）を入れた後、これらの情報に上述したパスワード３００ｂをかけてそのまま管理サーバ１２０へ転送する（ステップＳ９）。
【００５９】
これにより、ユーザ（有権者）は、入院、海外旅行、海外出張等の理由により、不在者投票用紙を受け取ることができない場合、ユーザ端末３００Ａ，３００Ｂで受け取った投票欄に所定のチェック（○又は×等）を入れて転送すればよいので、場所や時間を問わず、不在者投票を行うことができる。
【００６０】
管理サーバ１２０側では、ユーザ端末３００Ａ，３００Ｂからの情報を受け取ると、各ユーザ（有権者）毎に、不在者投票の結果をデータベース１３０に書き込む（ステップＳ１０）。
【００６１】
次に、職員端末２００から管理サーバ１２０へ所定のアクセスコードを用いてユーザ（有権者）毎の不在者投票の結果の要求があると、管理サーバ１２０から職員端末２００へユーザ（有権者）毎の不在者投票の結果が送信される（ステップＳ１１）。
【００６２】
これにより、職員端末２００側では、不在者投票の交付から投票結果までの作業を短時間でかつ正確に行うことができる。
【００６３】
このように、本実施例では、管理サーバ１２０によりユーザ(有権者)毎の少なくともアクセス情報を有する個人情報３００ａ及びパスワード３００ｂを受け付け、職員端末２００によりユーザ(有権者)毎の少なくとも個人情報３００ａを取得して記憶素子としてのＩＣタグ６０１を有する郵送媒体としての郵便はがき６００への宛先の印字とＩＣタグ６０１への少なくとも個人情報の書き込みとを行い、郵便ポスト４００により郵便はがき６００が投函される際、ＩＣタグ６０１に書き込まれている情報を読み取り、該読み取った情報を通信回線としてのインターネット５００を介して管理サーバ１２０へ送信することで、管理サーバ１２０により、郵便ポスト４００からの読み取った情報と、ユーザ(有権者)毎に受け付けている少なくとも個人情報３００ａとの一致によるユーザ認証が行われた後、アクセス情報に基づいてユーザ端末３００Ａ，３００Ｂに郵便ポスト４００からの読み取った情報が送信されると、ユーザ端末３００Ａ，３００Ｂにより管理サーバ１２０から受け取った情報に投票の意思を示す情報が付加されて管理サーバ１２０に返信され、その後、職員端末２００により投票の意思を示す情報が管理サーバ１２０から取得されるようにした。
【００６４】
このように、管理サーバ１２０により、郵便ポスト４００からの読み取った情報と、ユーザ(有権者)毎に受け付けている少なくとも個人情報３００ａとの一致によるユーザ認証を行い、アクセス情報に基づいてユーザ端末３００Ａ，３００Ｂに郵便ポスト４００からの読み取った情報を送信し、ユーザ端末３００Ａ，３００Ｂにより管理サーバ１２０から受け取った情報に投票の意思を示す情報が付加されて管理サーバ１２０に返信され、その後、職員端末２００により投票の意思を示す情報が管理サーバ１２０から取得されるようにすることで、入院、海外旅行、海外出張等の理由により、ユーザ(有権者)が不在者投票用紙を受け取ることができない場合であっても、場所や時間を問わず、不在者投票を行うことができる。また、職員端末２００側では、ユーザ(有権者)毎の少なくともアクセス情報と、ユーザ(有権者)毎の投票の意思を示す情報とを管理サーバ１２０から取得できるため、不在者投票の交付から投票結果までの作業を短時間でかつ正確に行うことができる。
【００６５】
また、本実施例では、職員端末２００によりＩＣタグ６０１への書き込みが行われるときと、管理サーバ１２０からアクセス情報に基づいてユーザ端末３００Ａ，３００Ｂに郵便ポスト４００からの読み取った情報が送信されるときと、ユーザ端末３００Ａ，３００Ｂにより管理サーバ１２０から受け取った情報に投票の意思を示す情報を付加するとき、いずれもユーザ（有権者）毎に登録されているパスワードが用いられるようにしたので、セキュリティを高めることもできる。
【産業上の利用可能性】
【００６６】
株主総会での投票やマンション等の管理組合での投票にも適用可能である。
【図面の簡単な説明】
【００６７】
【図１】本発明の不在者投票システムの一実施例を示す図である。
【図２】図１の不在者投票システムで用いられる郵便はがきの一例を示す図である。
【図３】図１のデータベースに登録される個人情報及びパスワード等の情報を説明するための図である。
【図４】図１の郵便ポストのＩＣタグ読取制御部の詳細を説明するための図である。
【図５】図１の管理サーバの詳細を説明するための図である。
【図６】図１の不在者投票システムによる不在者投票方法について説明するためのフローチャートである。
【符号の説明】
【００６８】
１００ 不在者投票管理装置
１１０ 管理端末
１２０ 管理サーバ
１２１ インタフェース部
１２２ 受付部
１２３ 送信部
１２４ データ書込部
１２５ データ読込部
１２６ 制御部
１３０ データベース
２００ 職員端末
２１０ プリンタ
３００Ａ，３００Ｂ ユーザ端末
３００ａ 個人情報
３００ｂ パスワード
４００ 郵便ポスト
４００ａ タグ読取制御部
４０１ 読取部
４０２ 制御部
４０４ 送信部
５００ インターネット
６０１ ＩＣタグ（記憶素子）
【図１】
2008250810.tif 000003
【図２】
2008250810.tif 000004
【図３】
2008250810.tif 000005
【図４】
2008250810.tif 000006
【図５】
2008250810.tif 000007
【図６】
2008250810.tif 000008